【事件の表示】
　特願２００７−３３９４５２「液晶表示装置とその駆動方法」拒絶査定不服審判事件〔平成２０年７月２４日出願公開、特開２００８−１７０９９３〕について、次のとおり審決する。
【結　論】
　本件審判の請求は、成り立たない。
【理　由】
１．手続の経緯
　この審判事件に関する出願（以下、「本願」という。）は、２００７年（平成１９年）１月１５日に大韓民国でされた特許出願に基づくパリ条約の優先権を主張して平成１９年１２月２８日にされた特許出願である。そして、平成２３年３月２８日付け手続補正書により明細書及び特許請求の範囲についての補正がされ、同年７月１９日付けで拒絶査定がされ、同年同月２５日に査定の謄本が送達された。
　これに対して、同年１１月２５日に拒絶査定不服審判が請求され、同時に特許請求の範囲についての補正がされた。
　その後、当審が平成２５年３月２５日付けで拒絶の理由を通知したところ、同年７月２５日付け手続補正書により特許請求の範囲についての補正がされるとともに、同日付け意見書が提出された。
　
２．本願に係る発明
　本願の請求項１から７までのそれぞれに係る発明は、特許請求の範囲の請求項１から７までのそれぞれに記載された事項によって特定されるものである。特に、請求項１に係る発明（以下、「本願発明」という。）は、以下のとおりのものである。
　
「【請求項１】
　データ電圧が供給される複数のデータラインとスキャンパルスが供給される複数のゲートラインが形成されて第１及び第２液晶セル群を持つ液晶表示パネルと、
　極性制御信号に応答して前記データラインに前記データ電圧を供給するデータ駆動回路と、
　前記スキャンパルスを前記ゲートラインに供給するゲート駆動回路と、
　前記極性制御信号をフレーム期間単位で異なるように発生して、前記第１及び第２液晶セル群のデータ電圧周波数をお互いに異なるように制御する極性制御回路と、
　入力映像のデジタルビデオデータを分析して、その分析結果によって前記極性制御回路の出力を制御する映像分析回路を備え、
　前記第１液晶セル群の液晶セルには２フレーム期間の間同一である極性の電圧が連続に供給され、
　前記第２液晶セル群の液晶セルには前記２フレーム期間の間第１極性の電圧と第２極性の電圧が連続に供給され、
　前記極性制御信号は、
　２水平期間周期に論理が反転され前記液晶表示パネルの２水平ライン周期で前記データ電圧の極性を反転させる複数の極性制御信号を含み、
　前記極性制御信号は
　第４ｉ＋１フレーム期間に発生される第１極性制御信号と、
　第４ｉ＋２フレーム期間に発生され前記第１極性制御信号に対しておおよそ１水平期間位の位相差を有する第２極性制御信号と、
　第４ｉ＋３フレーム期間に発生され前記第１極性制御信号に対して逆位相に発生される第３極性制御信号と、
　第４ｉ＋４フレーム期間に発生され前記第２極性制御信号に対して逆位相に発生される第４極性制御信号を含み、
　前記極性制御回路は、
　フレーム期間単位で前記第１乃至第４極性制御信号を順次出力し、
　前記極性制御回路は、
　ゲートスタートパルスを計数しフレーム数を指示するフレームカウント情報を発生するフレームカウンターと、
　ソース出力イネーブル信号を計数し前記液晶表示パネルの表示ライン数を指示するラインカウント情報を発生するラインカウンターと、
　前記フレームカウント情報と前記ラインカウント情報に基づいて前記第１乃至第４極性制御信号を発生する極性制御信号発生回路と、
　前記フレームカウント情報に応答して前記第１乃至第４極性制御信号を順次に選択するマルチフレクサーを備え、
　前記映像分析回路は、
　前記入力映像のデジタルビデオデータを分析して、前記液晶表示パネルで隣り合う水平ラインそれぞれに表示されるデータの輝度差が所定のしきい値以上のことと判断されれば、フレーム期間単位で前記第１乃至第４極性制御信号が順次出力されるように前記極性制御回路を制御することを特徴とする液晶表示装置。」
　
３．当審が通知した拒絶の理由
　当審が本願発明について通知した拒絶の理由は、以下のとおりである。
　
「本願発明は、その優先日前に日本国内又は外国において頒布された下記の刊行物に記載された発明に基づいて、その優先日前にその発明の属する技術の分野における通常の知識を有する者が容易に発明をすることができたものであるから、特許法第２９条第２項の規定により特許を受けることができない。
　
　　刊行物１：特開２００４−２７１７１９号公報
　　刊行物２：特開２００５−２１５３１７号公報
　　刊行物３：特開２００２−９１３９２号公報
　　刊行物４：特開平８−１９００８３号公報
　　刊行物５：特開２００６−２０３３２０号公報」
　
４．刊行物に記載された事項
（１）刊行物１
ア．刊行物１の記載
　刊行物１には、以下の記載がある。
　
（ア）段落０００１及び０００２
「【０００１】
【発明の属する技術分野】
本発明は、液晶表示装置の駆動方法および液晶表示装置に関し、特に動画表示を行う際の駆動方法に関する
　【０００２】
【従来の技術】
従来の液晶表示装置は画像データおよび制御信号などを入力し駆動する。…（略）…また、通常の１フレームごとの反転駆動方式ではインターレース信号のような、黒−画像がくり返される信号が入力された際、液晶に直流成分が印加されることになり液晶が劣化していた。」
　
（イ）段落０００７
「【０００７】
【課題を解決するための手段】
本発明の液晶表示装置の駆動方法は基板上に形成された複数の走査線と、この走査線と交差する複数の信号線と、前記走査線と前記信号線とで囲まれた画素領域とを備えた液晶表示装置の駆動方法において、前記画素領域に印加される電圧の極性は２フレーム毎に反転し、かつ偶数行目の走査線は偶数フレームで反転し、奇数行目の走査線は奇数フレームで反転する工程、または偶数行目の走査線は奇数フレームで反転し、奇数行目の走査線は偶数フレームで反転する工程を含むことを特徴とするものである。」
　
（ウ）段落０００９から００１３まで
「【０００９】
実施の形態１．
図１（ａ）に本実施の形態における液晶表示装置にブロック図を、図１（ｂ）に液晶表示装置の液晶層に電圧を印加するための回路構成図を示す。図において、複数の走査線１と信号線２とがマトリクス上に配置されており、囲まれた領域に画素領域３（以下画素と称する）を有する。走査線１は走査線駆動ＩＣ４に、信号線２は信号線駆動ＩＣ５（ソース駆動ＩＣ）に各々接続されており、それぞれのＩＣは制御回路６からの走査により動作する。液晶７に印加される電圧の極性は、信号線駆動ＩＣ５に入力される走査により切り替えることができ、一般的に入手できる信号線駆動ＩＣは信号線２を一本毎に極性反転するように設定されている。液晶表示装置は互いに対向する一対の基板であるＴＦＴアレイ基板と対向基板（図示せず）のうちＴＦＴアレイ基板上には走査線１、信号線２に接続されたＴＦＴ９が形成される。一方、対向基板には共通電極８が形成されている。なお、画素３に配置された透明な画素電極１０と共通電極８間の液晶７に電圧を印加させ、両電極間の電圧差でもって液晶表示装置の明るさを調整している。
　【００１０】
次に液晶に印加される印加電圧の変化を図５に示す。図５（ａ）、図５（ｂ）はノーマリブラックの場合、図５（ｃ）、図５（ｄ）はノーマリホワイトの場合を示す。前述したように１フレームごとに黒表示と画像表示を繰り返す駆動方式を採用した場合、その画素に着目し、仮に既存の１フレームおきに極性が反転する駆動方式を用いた場合の液晶印加電圧の変化は必ず正極性画像表示→負極性黒表示→正極性画像表示→負極性黒表示または、負極性画像表示→正極性黒表示→負極性画像表示→正極性黒表示を繰り返すことになり、結果として液晶に直流成分が印加されつづけ、極性が正極性または負極性に偏ってしまう。このため画像やきつきなどが引き起こされ液晶劣化をもたらす。これを解消するには液晶印加電圧の極性の入れ替わるフレーム数を２の倍数にし、極性を相殺させる必要がある。
　【００１１】
上述した通り、画素３の明るさは画素電極１０と共通電極８間の電圧の絶対値によって支配されている。例えば、ノーマリーホワイトモードの液晶駆動においては、画素電極と共通電極の電圧差に依存して光透過率は変化する。よってこの電圧差が増加するにつれて画素の明るさが変化する。図６に示すようにたとえば、最適共通電極電位１１においては正極性の液晶印加電圧１３と負極性の印加電圧１４とは電位差がなく明るさの変化はない理想的な液晶印加電圧となっている。しかし、最適共通電極電位１１が、例えば−側にシフトして実際の共通電極電位１５であるとき正極性の印加電圧１６は大きく、負極性の印加電圧１７は小さくなり明るさが変化してしまう。このように共通電極電位の変化（面内不均一）により同じ階調で画像表示を行ったとしても、正極性で画像を表示している場合と負極性で画像を表示している場合とでは明るさが変わる。
　【００１２】
網膜に視認される画像は画像表示時であり、上述した通り、液晶印加電圧極性を２の倍数毎に反転する駆動方式をとると、画像表示はある画素において２ｎフレームおきとなるが、同じ階調の画像表示をしても、電圧差があると正極性で画像を表示しているときの明るさと負極性で画像を表示しているときの明るさが２ｎフレーム毎に変化する。従来の黒表示を挿入せず、かつ液晶印加電圧極性を入れ替えるフレームを１とした駆動方式では、約６０Ｈｚ付近のフレーム周波数で変化するため、その変化はほとんど視認されないが、黒表示を挿入する駆動方式の場合、最高でも約３０Ｈｚ（２フレーム）での明暗が連続するため、視認されやすくなる。前記液晶印加電圧極性の入れ替わるフレームの数は大きくなると変化する間隔が大きくなり、明暗が視認され、フリッカとなりやすくなるため、液晶印加電圧の極性の入れ替わるフレームの数は２が最適である。
　【００１３】
このため、液晶印加電圧の極性は２フレーム毎に反転させる。さらにフリッカを防ぐために図３のように偶数行目の走査線は偶数フレームで反転させ、奇数行目の走査線は奇数フレームで反転させる。もしくは図４のように液晶印加電圧の極性は２フレーム毎に反転させ、偶数行目の走査線は奇数フレームで反転させ、奇数行目の走査線は偶数フレームで反転させてもよい。」
　
（エ）段落００２０
「【００２０】
さらには近年液晶表示装置上でＮＴＳＣ等の走査線を一本おきに飛ばして（飛び越し走査ともいわれる）走査線を２回（フィールド）に分けて走査し、２フィールドで一枚の画が完成する方式であるインターレース走査駆動をインターレース−プログレッシブ変換（ＩＰ変換）したデータを表示する場合が増えており、ＩＰ変換方式によっては特に静止画で、１フレームおきに画像表示と黒表示を繰り返す画素が生じる場合があるが、本方式を用いることによって、自動的に印加電圧極性偏りが相殺されるため、液晶劣化を防ぐことができる。」
　
イ．刊行物１に記載された発明（引用発明）
　上記ア．（ア）から（エ）までの記載と図１及び３から５までに示された事項とを総合すると、刊行物１には、以下の発明（以下、「引用発明」という。）が記載されている。
　
「複数の信号線２と複数の走査線１と複数の画素領域３とを備えたＴＦＴアレイ基板と、対向基板と、前記ＴＦＴアレイ基板と前記対向基板との間に配置される液晶７と、
　前記複数の信号線２に接続された信号線駆動ＩＣ５と、
　前記複数の走査線１に接続された走査線駆動ＩＣ４とを備え、
　前記複数の画素領域３に印加される電圧の極性は、２フレーム毎に反転し、かつ偶数行目の走査線は偶数フレームで反転し、奇数行目の走査線は奇数フレームで反転する液晶表示装置。」
　
（２）刊行物２
ア．刊行物２の記載
　刊行物２には、以下の記載がある。
　
（ア）段落００３４から００４０まで
「【００３４】
　図１に、アクティブ・マトリクス方式（Active Matrix Scheme）の液晶表示装置の構成を示す。
　【００３５】
　図１に示す如く、二次元的又は行列（Matrix）状に配置された複数の画素ＰＩＸの各々に画素電極ＰＸとこれに映像信号を供給するスイッチング素子ＳＷ（例えば、薄膜トランジスタ）が設けられる。このように複数の画素ＰＩＸが配置された素子は、画素アレイ（Pixel Array）１０１とも呼ばれ、液晶表示装置における画素アレイは液晶表示装置パネルとも呼ばれる。この画素アレイにおいて、複数の画素ＰＩＸは画像を表示する所謂画面をなす。
　【００３６】
　図１に示された画素アレイ１０１には、横方向に延びる複数のゲート線１０（Gate Lines、走査信号線とも呼ばれる）と縦方向（このゲート線１０と直交する方向）に延びる複数のデータ線１２（Data Lines、映像信号線とも呼ばれる）とがそれぞれ並設（juxtapose）される。
　【００３７】
　図１に示される如く、Ｇ１，Ｇ２，Ｇ３，・・・Ｇｎなる番地で識別される夫々のゲート線１０沿いには複数の画素ＰＩＸが横方向に並ぶ所謂画素行（Pixel Row）が、Ｄ１Ｒ，Ｄ１Ｇ，Ｄ１Ｂ、・・・ＤｍＢなる番地で識別される夫々のデータ線１２沿いには複数の画素ＰＩＸが縦方向に並ぶ所謂画素列（Pixel Column）が形成される。
　【００３８】
　ゲート線１０は、走査ドライバ１０４（Scanning Driver、走査駆動回路とも呼ばれる）からその各々に対応する画素行（図１の場合、各ゲート線の下側）をなす画素ＰＩＸにそれぞれ設けられたスイッチング素子ＳＷに電圧信号を印加し、夫々の画素ＰＩＸに設けられた画素電極ＰＸとデータ線１２の一つとの電気的な接続を開閉する。特定の画素行に設けられたスイッチング素子ＳＷの群を、これに対応するゲート線１０から電圧信号（選択電圧）を印加して制御する動作は、ラインの選択又は「走査（Scanning）」とも呼ばれ、走査ドライバ１０４からゲート線１０に印加される上記電圧信号は走査信号又はゲート信号とも呼ばれる。
　【００３９】
　一方、データ線１２の夫々には、データドライバ１０３（Data Driver、映像信号駆動回路とも呼ばれる）から階調電圧（Gray Scale Voltage、又はTone Voltage）とも呼ばれる電圧信号が印加され、その各々に対応する画素列（図１の場合、各データ線の右側）をなす画素ＰＩＸの上記走査信号で選択された夫々の画素電極ＰＸに上記階調電圧を印加する。データドライバ１０３は、画素アレイ１０１に対して片側に配置される。よって、データドライバ１０３は、１度に画素１行分の階調電圧しか出力できない。データドライバが水平方向に複数個ある場合は、それらの全てのデータドライバで画素一行分の階調電圧を出力することとなる。
　【００４０】
　このような液晶表示装置をテレビジョン装置に組み込んだ場合、インターレス方式で受信される映像データ（映像信号）の１フィールド期間、又はプログレッシブ方式で受信される映像データの１フレーム期間に対して、上記走査信号はゲート線１０のＧ１からＧｎに順次印加され、１フィールド期間又は１フレーム期間に受信される映像データから生成された階調電圧が夫々の画素行を構成する画素の一群に順次印加される。」
　
（イ）段落００４３から００５６まで
「【００４３】
　図２に、本第１の実施例の液晶表示システムを示す。Ｔ−ＣＯＮからデータドライバ１０３に伝送されるデータドライバ信号群には、ドライバ・データ１０６に含まれるデータ群と、そのデータ群各々に対応する水平走査期間をデータドライバ１０３に認識させる水平周期信号１０８、１垂直周期期間の内で先頭の水平走査期間をデータドライバ１０３に認識させる垂直周期信号１０９の２つの信号を含むデータドライバ制御信号群１０７が含まれている。…（略）…
　【００４４】…（略）…
　【００４５】
　次に、データドライバ１０３の内部構成ブロック図について説明する。データドライバ内部ブロックには、極性反転制御回路１１１、出力発生回路１１２、出力経路制御回路１１３が存在する。
　【００４６】…（略）…
　【００４７】…（略）…
　【００４８】…（略）…
　【００４９】…（略）…
　【００５０】…（略）…
　【００５１】…（略）…
　【００５２】…（略）…
　【００５３】…（略）…
　【００５４】
　出力発生回路１１２の入力信号として、ドライバ・データ１０６に含まれるデータ群、データドライバ制御信号群１０７に含まれるドットクロック、水平周期信号１０８、出力経路切り替え信号１１９−１、１１９−２、１１９−３が入力される。この出力発生回路１１２の内部には、ドットクロックによってＴ−ＣＯＮ１０５からの入力データ群を順次取り込むシフトレジスタ回路と、取り込んだ１行分のデータを、水平周期信号１０８によって一斉にラッチし、ＤＡ変換回路に出力するラッチ回路と、デジタルデータをアナログデータに変換するＤＡ変換回路を含む。ここで、ＤＡ変換回路には、正極電圧を出力するｐ−ＤＡＣ（Positive D/A Converter）と、負極電圧を出力するｎ−ＤＡＣ（Negative D/A Converter）とがペアで存在している。ｐ−ＤＡＣを通り正極性階調電圧データ経路１２０を通る変換された正極の階調電圧と、ｎ−ＤＡＣを通り負極性階調電圧データ経路１２１を通る変換された負極の階調電圧が、出力発生回路１１２の出力信号となる。このＤＡ変換回路内にある正極性階調電圧データ経路１２０と負極性階調電圧データ経路１２１からの出力データペア（Ｐ１Ｐ及びＰ１Ｎ、Ｐ２Ｐ及びＰ２Ｎ、・・・Ｐｎ／２Ｐ及びＰｎ／２Ｎ）は、夫々、データドライバ１０３からの奇数出力と偶数出力のペア（Ｙ１及びＹ２、Ｙ３及びＹ４、・・・Ｙｎ−１及びＹｎ）のどちらかのデータとして出力される。例えば、正極性階調電圧データ経路１２０を通されたＰ１Ｐ出力データがＹ１出力であるならば、負極性階調電圧データ経路１２１を通されたＰ１Ｎ出力データはＹ２出力となる。また、出力経路切り替え信号１１９−１、１１９−２、１１９−３入力に関しては後述する。
　【００５５】
　出力経路制御回路１１３には、出力発生回路１１２から入力される正極性階調電圧データ経路１２０と負極性階調電圧データ経路１２１からのＰ１Ｐ及びＰ１Ｎ、Ｐ２Ｐ及びＰ２Ｎ、・・・Ｐｎ／２Ｐ及びＰｎ／２Ｎの階調電圧データと、極性反転制御回路１１１から入力されるレベルシフタを介した出力経路切り替え信号１１９−１、１１９−２、１１９−３がある。出力経路制御回路１１３では、正極性階調電圧データ経路１２０と負極性階調電圧データ経路１２１から入力される階調電圧データペアを、それぞれ、期待する出力ポート（Ｙ１、Ｙ２、Ｙ３、・・・Ｙｎ）に出力する為、出力経路を切り替える出力経路切り替え回路１１８が存在する。
　【００５６】
　例えば、正極性階調電圧データ経路１２０を通されてＹ１に出力されることを期待されるＰ１Ｐの階調電圧データと、負極性階調電圧データ経路１２１を通されてＹ２に出力されることを期待されるＰ１Ｎの階調電圧データは、Ｐ１ＰのデータをＹ１に、Ｐ１ＮのデータをＹ２につなげるように出力経路切り替え回路１１８を出力切り替え信号によって制御する。この出力経路切り替え回路１１８には、出力切り替え信号１１９−１をＹ１及びＹ２ペアに、出力切り替え信号１１９−２をＹ３及びＹ４ペアに、出力切り替え信号１１９−３をＹ５及びＹ６ペアとつなげる。またＹ７及びＹ８ペアには出力切り替え信号１１９−１が入力され、以下同様に続く。そうすることで、６ｍ＋１列、６ｍ＋２列（Ｙ１及びＹ２、Ｙ７及びＹ８、・・・）は出力切り替え信号１１９−１に依存して出力経路を制御し、６ｍ＋３列、６ｍ＋４列（Ｙ３及びＹ４、Ｙ９及びＹ１０、・・・）は出力切り替え信号１１９−２に依存して出力経路を制御し、６ｍ＋５列、６ｍ＋６列（Ｙ５及びＹ６、Ｙ１１及びＹ１２、・・・）は出力切り替え信号１１９−３に依存して出力経路を制御する。」
　
（ウ）段落０１０３から０１１５まで
「【０１０３】
　以下、第５の実施例は、図１、図４、図９において説明する。
　【０１０４】
　第５の実施例は、前記データドライバ内部に、極性反転制御信号をシフトさせるシフトレジスタを設ける事によって、第１の実施例、第２の実施例、第３の実施例における特徴を実現することを特徴とする。この為、大型化が進む液晶表示装置において、データドライバの消費電流を下げ、データドライバの発熱を解消し、かつ液晶表示装置に発生する横スメアを解消することで、高画質な映像が実現できると考えられる。
　【０１０５】
　本第５の実施例における液晶表示装置に関しては図１と同様なので、ここでは液晶表示装置の映像表示原理の説明については省略する。
　【０１０６】
　次に、図９に本第５の実施例における液晶表示システムを示す。
　【０１０７】
　図９におけるデータドライバ内部には、極性反転制御回路１１１、出力発生回路１１２、出力経路制御回路１１３が存在する。出力発生回路１１２、出力経路制御回路１１３に関しては、図２の説明において記したので、ここでは省略する。
　【０１０８】
　図９の極性反転制御回路１１１に存在するブロック図について説明する。極性反転制御回路１１１には、１Ｈシフトレジスタ回路１２６、２Ｈシフトレジスタ回路１２７、３Ｈシフトレジスタ回路１２８と、セレクタ回路１２９と、上記３つのシフトレジスタ回路からの信号及び、入力された極性反転信号１２４を選択するスイッチ回路１３０が存在する。この時、上記においては、シフト量設定が、１ライン分、２ライン分、３ライン分となっているが、それぞれは、ラインシフト量設定１２５で変えられる。また、ラインシフト回路数が、三つに設定してあるが、その数も増減して構わない。
　【０１０９】
　極性反転制御回路１１１のブロック図に入力される信号には、前記水平周期信号１０８、前記極性反転信号１２４、前記極性反転信号をライン周期単位でシフトさせる場合におけるラインシフト量設定１２５である。また、極性反転制御回路１１１から出力される信号は、前記出力経路切り替え信号１１８−１〜１１８−３である。
　【０１１０】
　前記極性反転信号１２４は、１Ｈシフトレジスタ回路１２６、２Ｈシフトレジスタ回路１２７、３Ｈシフトレジスタ回路１２８に入力され、各回路に対応したライン単位のシフト量分だけ、前記極性反転信号１２４を遅らせて出力する。
　【０１１１】…（略）…
　【０１１２】
　各シフトレジスタ回路からの信号と、入力の極性反転信号１２４は、夫々がすべて３つのスイッチ回路１３０に入力される。スイッチ回路は上記信号の内、１信号を選択し、出力経路切り替え信号として出力されるように、セレクタ回路１２９によって制御される。
　【０１１３】
　前記セレクタ回路１２９には、垂直周期信号１０９、ラインシフト量設定信号１２５が入力され、前記スイッチ回路１３０を制御する信号を出力する。前記セレクタ回路は、前記垂直周期信号１０９により、フレーム毎に各スイッチ回路において選択される信号を、前記ラインシフト量設定信号１２５の情報を元に切り替える。
　【０１１４】
　また本第５の実施例における液晶表示装置のライン交流化駆動制御単位は図４と同様なものなので、詳細は略す。
　【０１１５】
　このように、本第５の実施例は、データドライバの内部ブロックの極性反転制御回路１１１を、図９のように変更した物であり、このようにすれば、前記データドライバ内部に、極性反転制御信号をシフトさせるシフトレジスタを設ける事によっても、第１の実施例、第２の実施例、第３の実施例の特徴を持つ液晶表示装置を実現できる。」
　
イ．刊行物２に記載された技術事項
　上記ア．（ア）から（ウ）までの記載と図１、４及び９に示された事項とを総合すると、刊行物２には、以下の技術事項が記載されている。
　
「液晶表示装置において、入力された極性反転信号１２４をそれぞれ１ライン分、２ライン分及び３ライン分だけ遅らせる１Ｈシフトレジスタ回路１２６、２Ｈシフトレジスタ回路１２７及び３Ｈシフトレジスタ回路１２８と、入力された垂直周期信号１０９に応じて、前記入力された極性反転信号と前記３つのシフトレジスタ回路の出力信号とからフレームごとに１つの信号を選択して出力経路切り替え信号１１８−１、１１８−２及び１１８−３として出力するセレクタ回路１２９とによって、前記垂直周期信号、水平周期信号１０８及び前記極性反転信号が入力される極性反転制御回路を構成し、当該極性反転制御回路から出力される前記出力経路切り替え信号に応じて印加電圧の極性を反転する。」
　
（３）刊行物３
ア．刊行物３の記載
　刊行物３には、以下の記載がある。
　
（ア）段落０００１
「【０００１】
【発明の属する技術分野】本発明は、液晶表示素子を用いた液晶表示装置に係り、定常的な直流電圧の印加を防ぎ、焼き付き（残像）の無い良好な表示を得るための液晶表示装置に関するものである。」
　
（イ）段落０００８
「【０００８】本発明の目的は、液晶表示装置において、特に毎フレーム異なる映像データが入力されるような環境において、液晶パネルに定常的な直流電圧が印加されないようにして残像（焼き付き）のない良好な表示状態を得るための液晶表示装置を提供することにある。」
　
（ウ）段落００１１
「【００１１】
【課題を解決するための手段】すなわち、本発明は液晶表示装置において、テレビ放送、ビデオ再生、パソコンなど映像信号源から入力される映像情報の状態を検出し、任意の間隔に対する該映像情報の比較結果を求め、液晶パネルに定常的な直流電圧が印加されると判断される該比較結果を得た場合には、この定常的な直流電圧を分散し、液晶パネルの残像（焼き付き）発生を防止するような交流化駆動信号制御を行うようにしたものである。」
　
イ．刊行物３に記載された技術事項
　上記ア．（ア）から（ウ）までの記載を総合すると、刊行物３には、以下の技術事項が記載されている。
　
「液晶表示装置において、入力される映像情報の状態を検出し、液晶パネルに定常的な直流信号が印加されると判断された場合には、この定常的な直流電圧を分散し、液晶パネルの残像発生を防止するような交流化駆動信号制御を行う。」
　
（４）刊行物４
ア．刊行物４の記載
　刊行物４には、以下の記載がある。なお、引用文中の丸付き数字は、［１］、［２］などに置き換えた。
　
（ア）段落０００２から０００４まで
「【０００２】
【従来の技術】近年、カメラ一体型ＶＴＲや液晶プロジェクタに代表される液晶表示装置付機器の普及とともに液晶表示装置への高性能化の要求が高まり、液晶表示装置の高解像度化や高画質化が進行している。このような状況の下で、液晶表示装置も大型の液晶パネル及び映像を数十倍に拡大して表示する液晶プロジェクタ用パネルを中心に高解像度化が進み、有効走査線数４８０本を備えた高画素液晶表示装置が現出している。
　【０００３】一方、テレビジョンの走査方式はアナログ信号の帯域圧縮法である飛越し走査方式（以下、単に「インタレース」と記す）が採用されている。前述の高画素液晶表示装置でテレビジョン信号（ビデオ信号）を再生しようとする場合、インタレース信号を順次走査方式（以下、単に「ノンインタレース」と記す）に変換してインタレース信号に無い走査線を新たに生成して表示する必要がある。つまり、液晶表示装置の駆動方法は交流駆動が原則であり、このため電子式ビューファインダＥＶＦ（Electronic View Finder）等の画素数の少ない液晶表示装置では走査線数を有効走査線数の半分の略２４０本として交流駆動していた。しかし、前述の高画素液晶表示装置では有効走査線数略４８０本を備えているため、インタレース信号に存在しない走査線（ライン）を生成するノンインタレース変換が必要となるためである。このように１フィールドのインタレース信号をノンインタレース変換して新たな補間走査線を生成する方法の主なものとして次の２方式が知られている。
　【０００４】その一つは、ライン補間方式であり前記ライン補間方式は、同一フィールド内の隣接走査線にライン相関があることを利用して直前の走査線（ライン）をそのまま用いて補間走査線を生成する方式である。その二つ目は、フィールド補間方式であり前記フィールド補間方式は、各フィールド毎に関連するフィールド映像を入力して表示するものである。即ち、ｎフィールドにはｎフィールドの映像を入力し、（ｎ＋１）フィールドには（ｎ＋１）フィールドの映像を入力し、これらを組み合わせてフレームとして表示する方式である。また、これらを組み合わせた動き適応型ライン補間方式も存在している。本発明はインタレース信号をノンインタレース信号に変換するノンインタレース変換回路に係わるものであり、以下にその構成例を示して説明する。」
　
（イ）段落００２１
「【００２１】本発明は以上の点を考慮してなされたもので、高画素液晶表示装置のノンインタレース変換回路であるライン補間方式における垂直解像度の低下や、フィールド補間方式における動画像の輪郭がギザギザ感、そしてこれらを組み合わせた動き適応型ライン補間方式におけるハードウェアの大幅な追加の必要性等の問題点を改善し、インタレース信号をＣＲＴのように自然な画質で表示する液晶表示装置及びその駆動方法を提供しようとするものである。」
　
（ウ）段落００２６から００３０まで
「【００２６】
【実施例】以下、図１及び図２を参照して本発明の液晶表示装置及びその駆動方法の実施例を説明する。なお、従来技術の液晶表示装置及びその駆動方法の構成と同一の部分には同一の参照符号を付し、それらの構成や動作の説明を省略する。
　【００２７】初めに、図１を参照して本発明の液晶表示装置におけるノンインタレース変換回路の構成と動作を説明する。図１（ａ）において本発明のノンインタレース変換回路の構成は、入力端子、デコーダ、同期分離、Ａ／Ｄ変換等を従来技術のノンインタレース変換回路と同一構成要素として備え（図示省略）、新たに２倍速処理のため１回書込み・２回読出しを行いノンインタレースのディジタルＲＧＢに変換するラインメモリ２６、ディジタルＲＧＢ→ノンインタレースのアナログＲＧＢ［１］に変換するＤ／Ａ変換２７、制御信号Ｅ、クロック２、スイッチ信号［３］、２ＨＳｙｎｃ等を発生するタイミング・ジェネレータ２８、階調信号（３ｃｈ）［２］を発生する階調発生器２１、スイッチ（３ｃｈ）２２、そして液晶表示装置１で大略構成されている。
　【００２８】そして、ラインメモリ２６に入力されたインタレースのディジタルＲＧＢは、詳細は後述するが１ライン分の映像信号を記憶して、タイミング・ジェネレータ２８の発生する制御信号Ｅを基に２回読出しを行い２倍速ノンインタレースのディジタルＲＧＢを生成する。ラインメモリ２６から出力されたディジタルＲＧＢは次段のＤ／Ａ変換２７によりクロック２を基準としてディジタル→アナログ変換を行いノンインタレースのアナログＲＧＢ［１］としてスイッチ（３ｃｈ）２２に出力される。
　【００２９】更に、本発明の主要部であるスイッチ（３ｃｈ）２２は、例えばアナログスイッチ等でなり、入力されたノンインタレースのアナログＲＧＢ［１］と、階調発生器２１で生成された階調信号（３ｃｈ）［２］とを、スイッチ信号［３］を基に１ライン毎に切り替え、インタレースのアナログＲＧＢ［４］を生成して液晶表示装置１に出力する。階調発生器２１は、詳細は後述するがビデオ信号におけるペディスタル・レベル（略黒色）と白ピークレベル間の所定の電圧レベルである階調信号（３ｃｈ）［２］を生成して前記スイッチ（３ｃｈ）２２に出力する。
　【００３０】タイミング・ジェネレータ２８では、ＶＣＯ（図示せず）やＨ−Ｓｙｎｃ、Ｖ−Ｓｙｎｃの同期信号を基に制御信号Ｅ、クロック２、スイッチ信号［３］、２倍速の２Ｈ−Ｓｙｎｃを生成して、各々ラインメモリ２６、Ｄ／Ａ変換２７、スイッチ（３ｃｈ）２２、そして液晶表示装置１に供給する。前記液晶表示装置１は従来技術と同様の動作で映像を映出する。このように、スイッチ（３ｃｈ）２２でノンインタレースのアナログＲＧＢ［１］と階調信号（３ｃｈ）［２］を切り替えることにより、反転周波数はノンインタレースのまま、映像信号はフリッカの目立たないインタレースで表示することが可能となる。」
　
（エ）段落００３１から００３５まで
「【００３１】次に、図１（ｂ）のタイミング図を参照して本発明の液晶表示装置及びその駆動方法の原理を説明する。
　【００３２】図１（ｂ）において、符号［１］は図１（ａ）を併用して説明するならば、Ｄ／Ａ変換２７から出力されたノンインタレースのアナログＲＧＢであり、符号［２］は階調発生器２１が発生する飛越しラインのデータとなる階調信号（３ｃｈ）であり、符号［３］はタイミング・ジェネレータ２８が発生するスイッチ信号であり、そして符号［４］はスイッチ（３ｃｈ）２２の出力であるインタレースのアナログＲＧＢである。なお、上述の例では、［３］スイッチ信号が“ハイレベル”の時に原映像信号を、“ローレベル”で飛越しデータである階調信号を選択するものとした。
　【００３３】図１（ａ）におけるスイッチ（３ｃｈ）２２に図１（ｂ）［１］に示す如き（ア）原映像信号と、（イ）ノンインタレース変換により作成した映像信号が交互に入力されたものとする。階調信号（３ｃｈ）［２］は後述する方法により生成される飛び越しデータである。スイッチ信号［３］は、ノンインタレースのアナログＲＧＢ［１］と、階調信号（３ｃｈ）［２］とを１ライン毎に交互に選択するための矩形波であり、液晶表示装置１のカラム（信号）電極の印加電圧の極性反転波形と同様としても良い。
　【００３４】そして、新たに生成されたインタレースのアナログＲＧＢ［４］の構成は、図示のようにスイッチ信号［３］が“ローレベル”のとき（ア）原映像信号を出力し、スイッチ信号［３］が“ハイレベル”のとき（イ）ノンインタレース変換により作成した映像信号に代えて階調信号（飛越しデータ）を出力する。以下同様に（ア）原映像信号→飛越しデータ→（ア）原映像信号→飛越しデータと順次出力するようになされており、この関係は次のフレームで逆転する。このように、インタレース時に存在しない（イ）ノンインタレースにより作成した映像信号に代えて階調発生器で作成した階調信号（３ｃｈ）［２］を出力することでインタレースのアナログＲＧＢ［４］を構成することとした。
　【００３５】ここで、本発明のポイントである階調信号（飛び越しデータ）が出力されるラインは、インタレース表示における飛び越し部と同様の役目を果たす。この階調信号（３ｃｈ）［２］を白レベルや黒レベルに設定すれば、次のフレームで書き込む信号が中間調の場合の液晶の応答速度を上げる効果や、残像を低減する効果がある。…（略）…」
　
イ．刊行物４に記載された技術事項
　刊行物４には、液晶表示装置を交流駆動する際、インターレース信号を順次走査方式に変換し、インターレース信号にない走査線を新たに生成する必要がある旨の記載がある（上記ア．（ア）、段落０００３）。これは、いわゆるインターレース−プログレッシブ変換（以下、「ＩＰ変換」という。）のことである。そして、刊行物４には、インターレース信号にない走査線を新たに生成する従来の方法として、ライン補間方式、フィールド補間方式、動き適応型ライン補間方式を挙げた上で（上記ア．（ア）、段落０００４）、それらに代わる新たなノンインターレース変換方式を提供する旨の記載がある（上記ア．（イ））。したがって、刊行物４に記載されたノンインターレース変換も、要するにＩＰ変換のことである。
　以上のことを踏まえて、上記ア．（ア）から（エ）までの記載と図１に示された事項とを総合すると、刊行物４には、以下の技術事項が記載されている。
　
「インターレース映像信号と黒レベルに設定された階調信号とを交互に出力することにより、ＩＰ変換を行う。」
　
（５）刊行物５
ア．刊行物５の記載
　刊行物５には、以下の記載がある。
　
（ア）段落０００１から０００４まで
「【０００１】
　この発明は、飛越走査信号の順次走査信号への変換方法及び装置に関し、例えば、順次走査表示装置に適用して好適な飛越走査信号の順次走査信号への変換方法及び装置に関する。
【背景技術】
　【０００２】
　近時、画質等の向上のために、入力される飛越走査信号を順次走査信号へ変換してディスプレイ上に表示する順次走査表示装置が実用化されている。
　【０００３】
　このような順次走査表示装置において、例えばＮＴＳＣ飛越走査信号を６０フレーム／秒の順次走査信号に変換する場合、フィールド内の不足する走査線（ラインともいう。）を補間して生成する必要がある。
　【０００４】
　図４を参照して説明すると、現フィールド内の不足する走査線内の各画素を補間する技術として、同一フィールド内の隣接走査線内の画素Ｐ３、Ｐ４から補間画素Ｐ５を生成するフィールド内補間技術と、前後フィールドの同位置走査線内の画素Ｐ１、Ｐ２から補間画素Ｐ５を生成するフィールド間補間技術がある。」
　
（イ）段落００３６から００４３まで
「【００３６】
　図１は、この発明に係る飛越走査信号の順次走査信号への変換方法を実施する一実施形態に係る飛越走査信号の順次走査信号への変換装置１０の構成を示している。
　【００３７】
　この変換装置１０では、ＮＴＳＣビデオ信号の分解能８［ビット／画素］のデジタル信号である飛越走査信号５２５ｉが、入力ポート１２に供給され、出力ポート２４から、この飛越走査信号５２５ｉに対して所定の補間処理がなされた順次走査信号５２５ｐが外部に供給される。
　【００３８】
　入力ポート１２から入力された飛越走査信号５２５ｉは、黒レベル検出回路１４に供給されるとともに、輝度レベル調整回路１６に供給される。
　【００３９】
　黒レベル検出回路１４は、飛越走査信号５２５ｉの黒レベルＹｂｌｋを検出し、検出した黒レベルＹｂｌｋを補間走査信号生成回路１８と輝度レベル調整回路１６に供給する。
　【００４０】
　補間走査信号生成回路１８は、黒レベルＹｂｌｋに応じた一定レベルＹｃｏｎｓｔの画素値からなる補間走査信号Ｓｉｐを生成し、走査線切替回路２０の一方の入力ポート２１ｂに供給する。
　【００４１】
　輝度レベル調整回路１６は、飛越走査信号５２５ｉの輝度レベルＹｉを、黒レベルＹｂｌｋに基づき調整して出力輝度レベルＹｏに変換し、あるいは飛越走査信号５２５ｉの輝度レベルＹｉを、黒レベルＹｂｌｋと標準黒レベルＹｂｌｋｓｔｄに基づいて調整して出力輝度レベルＹｏに変換し、あるいは飛越走査信号５２５ｉの輝度レベルＹｉを、後述の一定レベルＹｃｏｎｓｔに基づいて調整して出力輝度レベルＹｏに変換し、飛越走査信号５２５ｉの輝度レベルＹｉを出力輝度レベルＹｏに変換した飛越走査信号５２５ｉ（Ｙｏ）を倍速化回路２２に供給する。
　【００４２】
　倍速化回路２２は、飛越走査信号５２５ｉ（Ｙｏ）を倍速化した倍速飛越走査信号Ｓｉｄを走査線切替回路２０の他方の入力ポート２１ａに供給する。
　【００４３】
　走査線切替回路２０は、飛越走査信号５２５ｉの２倍の周波数で共通ポート２１ｃを入力ポート２１ａ又は入力ポート２１ｂに切り替えることで、倍速飛越走査信号Ｓｉｄの各水平走査信号間に、黒レベルＹｂｌｋに応じた一定レベルＹｃｏｎｓｔの補間走査信号Ｓｉｐを挿入した順次走査信号５２５ｐを生成し、出力ポート２４に供給する。」
　
（ウ）段落００４９から００５４まで
「【００４９】
　ここで、黒レベルＹｂｌｋと一定レベルＹｃｏｎｓｔとの関係について説明する。
　【００５０】
　アナログビデオ信号をＡ／Ｄ変換器によりデジタルビデオ信号に変換する場合、標本値の範囲は、分解能であるビット数により決定される。ビット数が８［ビット／画素］の場合には、最大２５６階調（０〜２５５）表せることから、最小レベルは「０」レベルになる。
　【００５１】
　しかし、例えばデジタル画像のインタフェース規格ＩＴＵ−Ｒ　ＢＴ．６５６では「０」と「２５５」を予約ビット列としているため、画像信号自体は２５４階調（１〜２５４）の範囲の値となり、最小レベルが「１」になる。また、デジタルテレビジョン放送規格ＩＴＵ−Ｒ　ＢＴ．６０１では、量子化レベルとして、黒レベルが「１６」、白ピークレベルが「２３５」と定義（公称値）されているため、最小レベルは、「１６」になる。
　【００５２】
　このように、変換装置１０が準拠する標準や勧告、あるいは装置自体の仕様により決定される最小レベルを、ここでは標準黒レベル＝Ｙｂｌｋｓｔｄ（半固定値）と表現する。
　【００５３】
　この場合、黒レベル検出回路１４は、実質上、飛越走査信号５２５ｉのサンプル値の最小レベルを検出しようとするが、その最小レベルが、準拠する標準や勧告で定まる階調に対してクリッピング処理がなされていたり、実際には、公称値の範囲を超えるレベルを扱っていたり、映像ソースが特殊な場合であったりすると、検出した黒レベルＹｂｌｋと上記した標準黒レベルＹｂｌｋｓｔｄと差がでてくることになる。
　【００５４】
　この差が最終的に表示装置上で視覚的に無視できる場合には、一定レベルＹｃｏｎｓｔをＹｃｏｎｓｔ＝Ｙｂｌｋとして問題ない。」
　
（エ）段落００７２及び００７３
「【００７２】
　図３は、このようにして生成された順次走査信号５２５ｐに基づく順次走査画面の模式的な表示（順次走査表示）３０を示している。
　【００７３】
　この順次走査表示３０では、絵柄を示す倍速化飛越走査信号Ｓｉｄを構成する水平走査信号に基づく絵柄３２の間に、補間走査信号Ｓｉｐである一定レベルＹｃｏｎｓｔに対応する黒色の補間走査線３４が挿入された表示が得られる。」
　
イ．刊行物５に記載された技術事項
　刊行物５に記載された「飛越走査信号」及び「順次走査信号」は、それぞれ「インターレース走査信号」及び「プログレッシブ走査信号」のことであるから、刊行物５に記載された「飛越走査信号の順次走査信号への変換方法」は、ＩＰ変換方法にほかならない。
　このことを踏まえて、上記ア．（ア）から（エ）までの記載と図１及び３に示された事項とを総合すると、刊行物５には、以下の技術事項が記載されている。
　
「インターレース走査信号の間に黒レベルの補間走査信号を挿入することにより、ＩＰ変換を行う。」
　
５．対比
　本願発明と引用発明とを比較すると、以下のとおりである。
　
　引用発明の「複数の信号線２」、「複数の走査線１」、「複数の画素領域３…を備えたＴＦＴアレイ基板と、対向基板と、前記ＴＦＴアレイ基板と前記対向基板との間に配置される液晶７」、「前記複数の信号線２に接続された信号線駆動ＩＣ５」、「前記複数の走査線１に接続された走査線駆動ＩＣ４」及び「液晶表示装置」は、それぞれ、本願発明の「データ電圧が供給される複数のデータライン」、「スキャンパルスが供給される複数のゲートライン」、「液晶表示パネル」、「前記データラインに前記データ電圧を供給するデータ駆動回路」、「前記スキャンパルスを前記ゲートラインに供給するゲート駆動回路」及び「液晶表示装置」に相当する。
　
　刊行物１の図３及び４に示された液晶印加電圧の極性は、それぞれ本願の図８及び７に示されたデータ電圧極性パターンと同じである。したがって、引用発明の「前記複数の画素領域３に印加される電圧の極性は、２フレーム毎に反転し、かつ偶数行目の走査線は偶数フレームで反転し、奇数行目の走査線は奇数フレームで反転する」は、本願発明の「第１及び第２液晶セル群を持つ」、「前記第１及び第２液晶セル群のデータ電圧周波数をお互いに異なるように制御する」、「前記第１液晶セル群の液晶セルには２フレーム期間の間同一である極性の電圧が連続に供給され、前記第２液晶セル群の液晶セルには前記２フレーム期間の間第１極性の電圧と第２極性の電圧が連続に供給され」及び「前記液晶表示パネルの２水平ライン周期で前記データ電圧の極性を反転させる」に相当する。
　
　以上のことをまとめると、本願発明と引用発明とは、
　
「データ電圧が供給される複数のデータラインとスキャンパルスが供給される複数のゲートラインが形成されて第１及び第２液晶セル群を持つ液晶表示パネルと、
　前記データラインに前記データ電圧を供給するデータ駆動回路と、
　前記スキャンパルスを前記ゲートラインに供給するゲート駆動回路とを備え、
　前記第１及び第２液晶セル群のデータ電圧周波数をお互いに異なるように制御し、
　前記第１液晶セル群の液晶セルには２フレーム期間の間同一である極性の電圧が連続に供給され、
　前記第２液晶セル群の液晶セルには前記２フレーム期間の間第１極性の電圧と第２極性の電圧が連続に供給され、
　前記液晶表示パネルの２水平ライン周期で前記データ電圧の極性を反転させる液晶表示装置。」
　
である点で一致し、以下の点で相違する。
　
（相違点１）
　本願発明では、データ電圧の極性の反転が、「極性制御信号をフレーム期間単位で異なるように発生…する極性制御回路」が発生する「極性制御信号」に応答して行われ、その「極性制御信号」は、「２水平期間周期に論理が反転され…る複数の極性制御信号を含み」、具体的には「第４ｉ＋１フレーム期間に発生される第１極性制御信号と、第４ｉ＋２フレーム期間に発生され前記第１極性制御信号に対しておおよそ１水平期間位の位相差を有する第２極性制御信号と、第４ｉ＋３フレーム期間に発生され前記第１極性制御信号に対して逆位相に発生される第３極性制御信号と、第４ｉ＋４フレーム期間に発生され前記第２極性制御信号に対して逆位相に発生される第４極性制御信号を含み」、前記「極性制御回路」は、「フレーム期間単位で前記第１乃至第４極性制御信号を順次出力し」、かつ「ゲートスタートパルスを計数しフレーム数を指示するフレームカウント情報を発生するフレームカウンターと、ソース出力イネーブル信号を計数し前記液晶表示パネルの表示ライン数を指示するラインカウント情報を発生するラインカウンターと、前記フレームカウント情報と前記ラインカウント情報に基づいて前記第１乃至第４極性制御信号を発生する極性制御信号発生回路と、前記フレームカウント情報に応答して前記第１乃至第４極性制御信号を順次に選択するマルチフレクサーを備え」るのに対し、引用発明では、データ電圧の極性の反転がどのような回路でどのようにして行われるかが特定されていない点。
　
（相違点２）
　本願発明は、「入力映像のデジタルビデオデータを分析して、その分析結果によって前記極性制御回路の出力を制御する映像分析回路」を備え、その「映像分析回路」が「前記入力映像のデジタルビデオデータを分析して、前記液晶表示パネルで隣り合う水平ラインそれぞれに表示されるデータの輝度差が所定のしきい値以上のことと判断されれば、フレーム期間単位で前記第１乃至第４極性制御信号が順次出力されるように前記極性制御回路を制御する」のに対し、引用発明は、そのようになっていない点。
　
６．判断
（１）相違点１について
　引用発明と刊行物２に記載された技術事項とは、印加電圧の極性反転を行う液晶表示装置に関連する点で共通している。
　したがって、引用発明において、入力された極性反転信号をそれぞれ１ライン分、２ライン分及び３ライン分だけ遅らせる１Ｈシフトレジスタ回路、２Ｈシフトレジスタ回路及び３Ｈシフトレジスタ回路と、入力された垂直周期信号に応じて、前記入力された極性反転信号と前記３つのシフトレジスタ回路の出力信号とからフレームごとに１つの信号を選択して出力経路切り替え信号として出力するセレクタ回路とによって構成される極性反転制御回路を設け、当該極性反転制御回路に垂直周期信号、水平周期信号及び極性反転信号を入力し、当該極性反転制御回路から出力される前記出力経路切り替え信号に応じて印加電圧の極性を反転させるようにすることは、刊行物２に記載された技術事項を引用発明に適用することにより、当業者が容易に思い付くことである。
　ここで、垂直周期信号及び水平周期信号をカウントする回路を設け、そのカウント情報に基づいて極性反転信号を生成することは、例えば特開２００５−３４５６０３号公報の段落００２８及び図１５に記載されているように、本願の出願前に周知慣用の技術である。刊行物２に記載された技術事項を引用発明に適用する際、極性反転信号を生成するために、そのような周知慣用技術を採用することは、当業者が適宜行い得る設計事項にすぎない。
　そして、刊行物２に記載された技術事項を引用発明に適用してなるものは、相違点１に係る本願発明の構成を備えると認められる。すなわち、入力された垂直周期信号及び３つのシフトレジスタ回路の出力信号からなる合計４つの信号のそれぞれは、本願発明の「第１極性制御信号」から「第４極性制御信号」までのそれぞれに相当する。また、これら４つの信号の中から１つの信号を選択するセレクタ回路は、本願発明の「マルチフレクサー」に相当する。
　
（２）相違点２について
　引用発明は、刊行物１に記載されているように（上記４．（１）ア．（ア）及び（エ））、ＩＰ変換したデータを表示する場合に、液晶に直流成分が印加されて液晶が劣化するという課題を解決するものであるから、引用発明と刊行物３に記載された技術事項とは、液晶に直流成分が印加されることを防止するという技術に関連する点で共通している。
　したがって、引用発明において、入力されるデータを検出し、ＩＰ変換したデータが入力されていると判断されたときのみ、複数の画素領域に印加される電圧の極性を２フレーム毎に反転し、かつ偶数行目の走査線は偶数フレームで反転し、奇数行目の走査線は奇数フレームで反転するようにすることは、刊行物３に記載された技術事項を引用発明に適用することにより、当業者が容易に思い付くことである。
　映像信号と黒信号とを交互に出力してＩＰ変換を行うという技術事項は、刊行物４（上記４．（４）イ．）にも刊行物５（上記４．（５）イ．）にも記載されているから、本願の優先日前に当業者に周知である。すなわち、映像信号と黒信号とが交互に並んだものは、ＩＰ変換したデータとして本願の優先日前に周知であるから、ＩＰ変換したデータが入力されているかを判断するために、隣り合う水平ラインの輝度差を利用することは、当業者が適宜行い得る設計事項にすぎない。
　
（３）判断のまとめ
　以上のとおりであるから、本願発明は、引用発明と刊行物２及び３のそれぞれに記載された技術事項とに基づき、当業者が容易に発明をすることができたものである。
　
７．請求人の主張について
（１）請求人は、意見書の３．で、次のように主張する。
　
「引用文献２（当審注：刊行物２）においては、出力パス変換信号（１１９−１、１１９−２、１１９−３）は、データドライバ１０３で正極性／負極性の電圧を出力する出力発生回路１１２の出力パスを選択する信号です。出力変換信号（１１９−１、１１９−２、１１９−３）は、データドライバ内で生成され、データ電圧の極性を直接指示することなく、データドライバの出力パスをスイッチングします。
　一方、本願発明の極性制御信号（ＰＯＬａ〜ｄ）は、データ駆動回路を制御する外部タイミングコントローラ内で生成され、データ電圧の極性を直接指示します。したがって、当業者であれば、引用発明２の出力パス変換信号（１１９−１、１１９−２、１１９−３）を本発明の極性制御信号と同一視することはありません。
　また、引用発明２は、出力パス変換信号（１１９−１、１１９−２、１１９−３）をフレーム期間単位で順次選択する構成を開示および示唆しておりません。」
　
　しかし、「本願発明の極性制御信号…は、データ駆動回路を制御する外部タイミングコントローラ内で生成され、データ電圧の極性を直接指示します。」という主張は、請求項１に記載された事項に基づくものではない。そして、刊行物２に記載された「出力経路切り替え信号」は、印加電圧の極性を反転させる信号であるから、本願発明の「極性制御信号」に相当する。
　また、「出力経路切り替え信号」は、入力された極性反転信号及びそれをそれぞれ１ライン分、２ライン分及び３ライン分だけ遅らせた３つの信号の中から「垂直周期信号」に応じてフレームごとに選択されたものであるから、フレーム期間単位で順次選択されている。
　
（２）請求人はまた、同じく意見書の３．で、次のように主張する。
　
「本願請求項１に記載の発明によれば、ゲートスタートパルス（ＧＳＰ）とソース出力イネーブル信号（ＳＯＥ）に基づいて、フレームとラインをカウントしてタイミングコントローラとデータ駆動回路の遅延時間とは無関係にフレームカウントタイミングとラインカウントタイミングをデータ駆動回路とゲート駆動回路の実際の出力タイミングと完全に同期させることができます。
　このような特徴は、引用文献のいずれにも開示および示唆されておりません。審判官殿は、このような特徴が詳細な説明に記載されていないと主張しておりますが、液晶表示装置のタイミングを制御する方法を理解する当業者であれば本願の図１０−図１４、詳細な説明【００７５】−【００９７】を参酌すれば、上述の特徴を十分に理解することができます。
　すなわち、本願の詳細な説明と図面から明らかに理解できるように、ソース出力イネーブル信号（ＳＯＥ）は、データ駆動回路の出力タイミングを制御して、ゲートスタートパルス（ＧＳＰ）はゲート駆動回路のスタート動作タイミングを制御するためにこの信号と同期されると、フレームカウントタイミングとラインカウントタイミングをデータ駆動回路とゲート駆動回路の実際の出力タイミングと完全に同期させることができます。」
　
　しかし、本願発明によれば、「ゲートスタートパルス（ＧＳＰ）とソース出力イネーブル信号（ＳＯＥ）に基づいて、フレームとラインをカウントしてタイミングコントローラとデータ駆動回路の遅延時間とは無関係にフレームカウントタイミングとラインカウントタイミングをデータ駆動回路とゲート駆動回路の実際の出力タイミングと完全に同期させることができます。」という主張は、発明の詳細な説明の記載に基づくものではない。
　また、仮に、請求人が主張するように、当業者であれば、本願の段落００７５から００９７までの記載と図１０から１４までに示された事項とを参酌して、上述の特徴を理解することができるとしても、その特徴は、刊行物２に記載された技術事項を引用発明に適用したことの単なる結果にすぎない。上記６．（１）で述べたとおり、「垂直周期信号」（本願発明の「ゲートスタートパルス」に相当する。）及び「水平周期信号」（本願発明の「ソース出力イネーブル信号」に相当する。）をカウントする回路を設け、そのカウント情報に基づいて極性反転信号を生成することは、刊行物２に記載された技術事項を引用発明に適用する際に、当業者が適宜行い得る設計事項にすぎない。その結果、刊行物２に記載された技術事項を引用発明に適用してなるものも、上記の特徴を有することになる。
　
（３）請求人の主張は、採用することができない。
　
８．むすび
　以上に検討したとおり、本願発明は、刊行物１に記載された発明（引用発明）と、刊行物２及び３のそれぞれに記載された技術事項とに基づき、当業者が容易に発明をすることができたものであるから、特許法第２９条第２項の規定により特許を受けることができない。
　したがって、他の請求項に係る発明について審理するまでもなく、本願は拒絶をすべきものである。
　よって、結論のとおり審決する。